(57)【要約】【課題】簡易な構造で、郵便物の取り出しを片手で操作できる郵便受け。【解決手段】前端が開放された外箱１と、外箱１の前部の上部に設けられた郵便投入口２と、外箱１の内部に前後方向にスライド可能に設けられた郵便受け箱３とを備え、この郵便受け箱３を上記郵便投入口２の下方に配置したことを特徴とする。なお、郵便受け箱３を上記外箱１の前方に引き出し可能に設けてもよく、また外箱１の後方に引き出し可能に設けてもよい。【選択図】図１
2009268527.tif 000002
【特許請求の範囲】
【請求項１】
前端が開放された外箱と、外箱の前部の上部に設けられた郵便投入口と、外箱の内部に前後方向にスライド可能に設けられた郵便受け箱とを備え、この郵便受け箱を上記郵便投入口の下方に配置したことを特徴とする郵便受け。
【請求項２】
上記郵便受け箱を上記外箱に対して水平方向に引き出し可能に設けたことを特徴とする、請求項１に記載の郵便受け。
【請求項３】
上記郵便投入口を上記外箱端部よりも内側に配置したことを特徴とする、請求項１又は２に記載の郵便受け。
【請求項４】
上記外箱の内側には内枠が設けられ、内枠には上記郵便受け箱のスライドを案内するガイド溝を形成し、上記郵便受け箱の両側には、その全長に沿って上記ガイド溝にスライド可能な帯状のガイド板が形成されたことを特徴とする、請求項１〜３のいずれかに記載の郵便受け。
【請求項５】
上記ガイド溝は合成樹脂により形成し、上記ガイド板は金属により形成したことを特徴とする、請求項１〜４のいずれかに記載の郵便受け。
【請求項６】
上記ガイド板の内側には金属板が固定され、この金属板の引き出し側と反対側の端部を上記郵便受け箱の端部よりも突出させて、郵便受け箱が収納方向にスライドして外箱の端面に当たったときの衝撃を緩和する緩衝部としたことを特徴とする、請求項１〜５のいずれかに記載の郵便受け。
【請求項７】
上記郵便受け箱の表面には表札が取り付け可能に形成されていることを特徴とする、請求項１〜６のいずれかに記載の郵便受け。
【請求項８】
上記郵便受け箱の表面全幅にわたって断面が略Ｊ形の引き手部が形成されたことを特徴とする、請求項１〜７のいずれかに記載の郵便受け。
【請求項９】
上記郵便受け箱の引き出し側と反対の端面と、この端面と向き合う上記外箱の面板とには、郵便受け箱を上記外箱内に収納したときに互いに係合可能な係合部材と被係合部材とが設けられていることを特徴とする、請求項１〜８のいずれかに記載の郵便受け。
【発明の詳細な説明】
【技術分野】
【０００１】
本発明は、郵便物の取り出しを、郵便受け箱を前後にスライドさせることによって行うことができる郵便受けに関する。
【背景技術】
【０００２】
一般に、郵便受けは前部に郵便投入口があり、その下部に郵便物の受け部が形成され、受け部を開閉する手段として上下方向に回動して開閉する開閉蓋が採用されているものが知られている（特許文献１参照）。
【０００３】
上記構造において、郵便物の取り出しは片手で開閉蓋を上方に開けばよいが、開閉蓋を開いた状態に保持することはできないので、開いた手でさらに郵便物を取り出すのは非常に面倒である。そこで、口を片手で操作する技術として、係止部品等を用いて開閉蓋を上に開いた状態で保持する機構が知られている（特許文献１、２、３参照）。
【特許文献１】特開平８−２２８９０９号
【特許文献２】特開２００２−３１５６６５
【特許文献３】実開平２−４７８８３号
【発明の開示】
【発明が解決しようとする課題】
【０００４】
しかしながら、従来の開閉蓋の開き保持機構は、多くの部品を組合せて開き状態を保持する構造としているため、コストも高く、組み立て性にも難点があった。
【０００５】
本発明は上記問題点を解消し、簡易な構造で、郵便物の取り出しを片手で操作して行うことができる郵便受けを提供することをその課題とする。
【課題を解決するための手段】
【０００６】
上記課題を解決するため、請求項1に係る発明は、前端が開放された外箱と、外箱の前部の上部に設けられた郵便投入口と、外箱の内部に前後方向にスライド可能に設けられた郵便受け箱とを備え、この郵便受け箱を上記郵便投入口の下方に配置したことを特徴とする。
【０００７】
請求項２に係る発明は、請求項１において、上記郵便受け箱を上記外箱に対して水平方向に引き出し可能に設けたことを特徴とする。
【０００８】
請求項３に係る発明は、請求項１又は２において、上記郵便投入口を上記外箱端部よりも内側に配置したことを特徴とする。
【０００９】
請求項４に係る発明は、請求項１〜３のいずれかにおいて、上記外箱の内側には内枠が設けられ、内枠には上記郵便受け箱のスライドを案内するガイド溝を形成し、上記郵便受け箱の両側には、その全長に沿って上記ガイド溝にスライド可能な帯状のガイド板が形成されたことを特徴とする。
【００１０】
請求項５に係る発明は、請求項１〜４のいずれかにおいて、上記ガイド溝は合成樹脂により形成し、上記ガイド板は金属により形成したことを特徴とする。
【００１１】
請求項６に係る発明は、請求項１〜５のいずれかにおいて、上記ガイド板の内側には金属板が固定され、この金属板の引き出し側と反対側の端部を上記郵便受け箱の端部よりも突出させて、郵便受け箱が収納方向にスライドして外箱の端面に当たったときの衝撃を緩和する緩衝部としたことを特徴とする。
【００１２】
請求項７に係る発明は、請求項１〜６のいずれかにおいて、上記郵便受け箱の表面には表札が取り付け可能に形成されていることを特徴とする。
【００１３】
請求項８に係る発明は、請求項１〜７のいずれかにおいて、上記郵便受け箱の表面全幅にわたって断面が略Ｊ形の引き手部が形成されたことを特徴とする。
【００１４】
請求項９に係る発明は、請求項１〜８のいずれかにおいて、上記郵便受け箱の引き出し側と反対の端面と、この端面と向き合う上記外箱の面板とには、郵便受け箱を上記外箱内に収納したときに互いに係合可能な係合部材と被係合部材とが設けられていることを特徴とする。
【発明の効果】
【００１５】
請求項１に係る発明によれば、前端が開放された外箱と、外箱の前部の上部に設けられた郵便投入口と、外箱の内部に前後方向にスライド可能に設けられた郵便受け箱とを備え、この郵便受け箱を上記郵便投入口の下方に配置したので、郵便受け箱は片手で開閉操作することができるとともに、特別の機構を設けなくても開き状態を保持することができる。したがって、荷物の多い時や雨の日でも、郵便物の取り出し操作を容易に行うことができる。
【００１６】
また、幅と奥行きのある郵便受けが構成できるので、大型のダイレクトメールや雑誌等も収納することができる。
【００１７】
請求項２に係る発明によれば、郵便受け箱を前方、後方または左右方向に引き出して郵便物を取り出すことができる。
【００１８】
請求項３に係る発明によれば、郵便投入口は外箱前端よりも内側に位置しているので、郵便投入口から雨が直接に入り込むことがなく、郵便物が濡れにくい。
【００１９】
請求項４に係る発明によれば、外箱の内側には内枠が設けられ、内枠には上記郵便受け箱のスライドを案内するガイド溝を形成し、上記郵便受け箱の両側には、その全長に沿って上記ガイド溝にスライド可能な帯状のガイド板が形成されたから、ガイド溝とガイド板とが面で接するためガタつきが少なく、安定した開閉操作を行うことができる。
【００２０】
請求項５に係る発明によれば、ガイド溝は合成樹脂により形成したから、ガイド板との摩擦力が小さく、スムーズな開閉が可能であるとともにスライド音が小さく抑えられる。また、ガイド板は金属により形成したから、郵便受け箱の強度や耐久性が向上する。
【００２１】
請求項６に係る発明によれば、ガイド板の内側には金属板が固定され、この金属板の引き出し側と反対側の端部を上記郵便受け箱の端部よりも突出させて、郵便受け箱が収納方向にスライドして外箱の端面に当たったときの衝撃を緩和する緩衝部としたので、強い力で郵便受け箱を収納したときでも、変形や破損が生じにくい。
【００２２】
請求項７に係る発明によれば、郵便受け箱の前面には表札が取り付け可能に形成されているから、別途表札を設ける必要がなく、便利である。
【００２３】
請求項８に係る発明によれば、引き手部は郵便受け箱の前面の全幅にわたって形成されているので、どの位置でも操作ができ、使い勝手がよい。
【００２４】
請求項９に係る発明によれば、郵便受け箱の引き出し側と反対の端面と、この端面と向き合う上記外箱の面板とには、郵便受け箱を上記外箱内に収納したときに互いに係合可能な係合部材と被係合部材とが設けられているので、郵便受け箱を外箱内に収納するとき、郵便受け箱を押し込むだけで係合部材と被係合部材とが係合して簡単にロックするができるとともに、手前には比較的軽い力でロックを解除して引き出すことができる。
【発明を実施するための最良の形態】
【００２５】
図１は本発明に係る郵便受けの斜視図で、この郵便受けＡは主に金属から構成され、前端が開放された外箱１と、外箱１の前部の上部に設けられた郵便投入口２と、外箱１の内部に前後方向にスライド可能に設けられた郵便受け箱３とから構成され、玄関に設けた支柱４の上端などに支持されるものである。
【００２６】
外箱１は前部が開口した有底筒形に形成されている。すなわち、図２及び図５に示されるように、下方が開口したコ字形の金属板により上面板１ａと側面板１ｂとを形成し、その内側にＬ字形の金属板を溶接して背面板１ｃと底板１ｄとを形成している。
【００２７】
外箱１の内側には内枠５が設けられている。内枠５は両側面板５ａと底面板５ｂとからなり、両側面板５ａの上端は互いに向き合うように屈曲している。内枠５は外箱１の中央部よりもやや前部に配置固定されている。そして、内枠５の前端上部には郵便投入口２が設けられている。郵便投入口２には蓋７が配置され、蓋７は内枠５の前端上部の支軸９に前後に回動可能に設けられている。したがって、郵便投入口２は外箱１の前端よりも内側に位置している。
【００２８】
また、内枠５の両側面板５ａの内側下部には、上記郵便受け箱３のスライドを案内するガイド部が設けられている。このガイド部は上下に平行に配置されたポリアセタールなどによる断面Ｌ字形の樹脂製ガイド部材１０の間に形成されたガイド溝８によって構成されている。各ガイド部材１０はビス止めにより内枠５に固定されている。ガイド溝８の溝底８ａは内枠５の側面板によって構成されている。
【００２９】
次に、図３〜図５に示されるように、郵便受け箱３は上方に開放された箱状に形成され、上記外箱１の内部に前後に上記ガイド溝８にガイドされて摺動できるように収納されている。すなわち、郵便受け箱３の両側の全長に沿って帯状のガイド板１２と緩衝板１３とが取り付けられている。
【００３０】
ガイド板１２は金属製で、上記ガイド溝８の溝幅と略同じ幅寸法を有し、郵便受け箱３の全長よりも長く、郵便受け箱３の後端部よりも後方に突出している。
【００３１】
緩衝板１３は金属からなり、上記ガイド溝８の開口端の開口幅よりもやや小さい幅寸法に形成されている。また、ガイド板１２の後端部と同じく郵便受け箱３の側部の後端部よりも後方に突出し、略Ｕ字形に折り返されて緩衝部１３ａを形成し、さらにこの緩衝部１３ａの端部から直角に折り曲げて固定部１３ｂを形成し、この固定部１３ｂを郵便受け箱３の後方に配置された起立板１１に固定している。
【００３２】
緩衝板１３とガイド板１２とは郵便受け箱３の外側面にリベットにより一体的に固定されている。これにより、郵便受け箱３は緩衝板１３とガイド板１２の後端部からガイド溝８に嵌合し、スライドさせることにより外箱１の内部に収納される。郵便受け箱３は郵便投入口２の下方に配置され、蓋７の下を前後にスライドできるようになっている。
【００３３】
また、図３に示されるように、郵便受け箱３の前板の前面部には前面パネル１４が固定され、この前面パネル１４には、表札１５が装着可能な嵌合溝１６が形成されている。表札１５を取り付けるときは、嵌合溝１６の横からスライドして嵌合した後、嵌合溝１６の上部からイモネジ１７で固定すればよい。
【００３４】
なお、前面パネル１４の下方には断面が略Ｊ形の引き手部１８が一体に設けられている。この引き手部１８は前板の前面の全幅にわたって形成されている。
【００３５】
次に、郵便受け箱３の後方端面と、この後方端面と向き合う上記外箱１の背面板とには、郵便受け箱３を上記外箱１内に収納したときに互いに係合可能な係合部材２０と被係合部材２１とが設けられている。この係合部材２０と被係合部材２１とはロータリーキャッチによって構成されている。しかし、この係合部材２０と被係合部材２１とは郵便受け箱３を一時的に保持するものであればよく、ロータリーキャッチに限定されない。
【００３６】
次に、上記構成の郵便受けＡの使用態様について説明する。通常は郵便受け箱３を収納しておく。郵便物は郵便投入口２の蓋７を押し開いて投入すればよい。郵便投入口２は外箱１前端よりも内側に位置しているから、雨の吹き込みを有効に防止することができ、郵便物が濡れにくい。投入された郵便物は郵便受け箱３の内部に落ち込んで収容される。図３及び図４に示されるように、郵便物を取り出すときは、郵便受け箱３の前面パネル１４の下部の引き手部１８に手を掛けて引き出せばよい。引き出し操作は片手で行うことができるとともに、手を離せば郵便受け箱３はその位置に保持されるので、特別の機構を設けなくても開き状態を保持することができる。したがって、荷物の多い時や雨の日でも、郵便物の取り出し操作を容易に行うことができる。なお、郵便受け箱３を前方にスライドさせていくと、最終的にはその後端の起立板１１が郵便投入口２の蓋７の上端に当たるので、それ以上前方にスライドすることはできない。このため、郵便受け箱３が前方に抜け出してしまうことがない。
【００３７】
郵便受け箱３を収納するときは、片手で収納方向に押し込んでやればよい。郵便受け箱３が外箱１内に収納されて閉じられるときに緩衝板１３の緩衝部１３ａが外箱１の背面板１ｃに当たるが、緩衝部１３ａは金属からなるので、多少強く閉じてもその衝撃は緩衝部１３ａによって緩衝される。緩衝部１３ａは金属製のガイド板１２に重合し、ガイド板１２によって補強されているので、衝撃によっても変形することがない。また、郵便受け箱３が閉じられるときに係合部材２０と被係合部材２１とが係合するので、郵便受け箱３を押し込むだけで簡単にロックができる。しかし、郵便受け箱３を手前に軽い力で引くだけでロックは解除するので、簡単に引き出すことができる。
【００３８】
引き手部１８は郵便受け箱３の前面の全幅にわたって形成されているので、どの位置でも操作ができ、使い勝手がよい。
【００３９】
ところで、上述のように郵便受け箱３をスライドさせるとき、上記外箱１の内側には内枠５が設けられ、全体の強度が補強されるとともに、内枠５には上記郵便受け箱３のスライドを案内するガイド部８を設けたから、郵便受け箱３のスライドを円滑に行うことができる。
【００４０】
しかも、ガイド部は内枠５の両側にスライド方向に沿って形成されたガイド溝によって構成され、これに対し、上記郵便受け箱３の両側の全長に沿って上記ガイド溝８にスライド可能に設けられた帯状のガイド板１２が形成されており、ガイド溝は樹脂製のガイド部材１０によって構成されているから、金属製ガイド板１２と摩擦力が小さく円滑なスライドが可能であるとともにスライド音は小さく抑えられる。
【００４１】
さらに、ガイド板１２はガイド溝８の溝底８ａに面で接するため、がたつきが少なく安定した開閉作業ができる。
【００４２】
上述のように、外箱１と郵便受け箱３との組合わせにより、幅と奥行きのある郵便受けＡが構成できるので、大型のダイレクトメールや雑誌等も収納することができる。
【００４３】
上記郵便受けＡは、図１のように、支柱の上端に設けられた支持板上にネジ止め等によって固定すればよい。
【００４４】
なお、外箱カバー側面や外箱底板の奥の塞ぎ面等に開口部を設け、透光性パネルを取付けて郵便物の有無を確認する窓を設けてもよい。
【００４５】
また、図６に示されるように、郵便受け箱３を郵便投入口２と反対側に配置し、郵便投入口２の下方を閉鎖する一方、後面を開放し、この後部開口部２３から郵便受け箱３を出し入れできるように構成してもよい。これにより、前から郵便物を投入し、後ろから取り出すことができる。
【００４６】
また、郵便受け箱は外箱に対して水平方向に引き出せればよく、前方、後方だけでなく、左右方向に引き出して郵便物を取り出すように構成してもよい。
【図面の簡単な説明】
【００４７】
【図１】本発明に係る郵便受けの使用状態の正面図
【図２】外箱の縦断面図
【図３】郵便受けの縦断面図
【図４】上記郵便受けの横断面図
【図５】図４のＸ−Ｘ線上の一部省略断面図
【図６】郵便受けの他の実施形態の縦断面図
【符号の説明】
【００４８】
Ａ    郵便受け
１    外箱
２    郵便投入口
３    郵便受け箱
【図１】
2009268527.tif 000003
【図２】
2009268527.tif 000004
【図３】
2009268527.tif 000005
【図４】
2009268527.tif 000006
【図５】
2009268527.tif 000007
【図６】
2009268527.tif 000008